(57)【要約】【課題】多様なパネル体に対して適切に係合する縦框を備える戸体を実現することにある。【解決手段】パネル体の収受溝を有し、該収受溝を対向させて配置した一対の縦框と、該一対の縦框の間に位置し、前記収受溝に側端を収受して上下方向に積み重ねられた複数のパネル体と、を備え、前記縦框の収受溝には、外向き方向に凹み、パネル体に取り付けられた取り付け部材の頭部を収容可能であり、且つ当該頭部の抜け止め部を備えた収容部と、パネル体の側端が当接可能な当接面と、外向き方向に凹み、前記パネル体の側端から外向き方向に向かって突出した突出部を受け入れ可能な溝部と、のうちの少なくとも二つを有することを特徴とする。【選択図】図４
2016048010.tif 000002
【特許請求の範囲】
【請求項１】
パネル体の収受溝を有し、該収受溝を対向させて配置した一対の縦框と、
該一対の縦框の間に位置し、前記収受溝に側端を収受して上下方向に積み重ねられた複数のパネル体と、を備え、
前記縦框の収受溝には、
外向き方向に凹み、パネル体に取り付けられた取り付け部材の頭部を収容可能であり、且つ当該頭部の抜け止め部を備えた収容部と、
パネル体の側端が当接可能な当接面と、
外向き方向に凹み、前記パネル体の側端から外向き方向に向かって突出した突出部を受け入れ可能な溝部と、
のうちの少なくとも二つを有することを特徴とする戸体。
【請求項２】
請求項１に記載の戸体において、
前記縦框の収受溝には、前記収容部、前記当接面、及び、前記溝部を有することを特徴とする戸体。
【請求項３】
請求項２に記載の戸体において、
前記収容部は、前記縦框の見込み方向における中央部に設けられ、
前記当接面は、前記収容部の見込み方向におけるそれぞれ両側に設けられ、
前記溝部は、前記当接面の見込み方向におけるそれぞれ両側に設けられていることを特徴とする戸体。
【請求項４】
請求項３に記載の戸体において、
前記溝部を構成し、前記縦框の側壁であり内向き方向に向かって延出し、前記パネル体の表面及び裏面に接触可能な延出部を有することを特徴とする戸体。
【請求項５】
請求項１乃至請求項４のいずれかに記載の戸体において、
前記取り付け部材は、ネジ部材であることを特徴とする戸体。
【請求項６】
請求項５に記載の戸体において、
前記ネジ部材は、段付きネジであることを特徴とする戸体。
【発明の詳細な説明】
【技術分野】
【０００１】
本発明は、戸体に関する。
【背景技術】
【０００２】
パネル体の収受溝を有し、該収受溝を対向させて配置した一対の縦框と、該一対の縦框の間に位置し、前記収受溝に側端を収受して上下方向に積み重ねられた複数のパネル体と、を備えるパネル体積み重ね扉等の戸体は、既によく知られている。
【先行技術文献】
【特許文献】
【０００３】
【特許文献１】登録実用新案第３１１６４６６号公報
【発明の概要】
【発明が解決しようとする課題】
【０００４】
ところで、戸体に備えられるパネル体としては、様々な種類のものがあり、当該種類が多様になるほど、戸体の使い勝手が幅広くなる。これらのパネル体の構成は、互いに異なっており、かかるパネル体として、例えば、意匠パネル、把手ユニット、採光ユニット、換気ユニットを挙げることができる。また、意匠パネルにおいては、最上部に使用するものと最下部に使用するものと中間部に使用するものとで、互いに構成が異なっている。
【０００５】
一方で、戸体においては、パネル体が、一対の縦框の間に位置し、上下方向に積み重ねられる。そのため、パネル体の横方向における側端（左側端及び右側端）は、縦框と係合することとなる。
【０００６】
したがって、縦框のパネル体に対する係合部分は、多様なパネル体に対応することが、要請される。
【０００７】
本発明は、かかる課題に鑑みてなされたものであり、その目的とするところは、多様なパネル体に対して適切に係合する縦框を備える戸体を実現することにある。
【課題を解決するための手段】
【０００８】
かかる目的を達成するために本発明の戸体は、パネル体の収受溝を有し、該収受溝を対向させて配置した一対の縦框と、
該一対の縦框の間に位置し、前記収受溝に側端を収受して上下方向に積み重ねられた複数のパネル体と、を備え、
前記縦框の収受溝には、
外向き方向に凹み、パネル体に取り付けられた取り付け部材の頭部を収容可能であり、且つ当該頭部の抜け止め部を備えた収容部と、
パネル体の側端が当接可能な当接面と、
外向き方向に凹み、前記パネル体の側端から外向き方向に向かって突出した突出部を受け入れ可能な溝部と、
のうちの少なくとも二つを有することを特徴とする戸体である。
【０００９】
このような戸体によれば、あるパネル体に対しては収容部が適切に働き、あるパネル体に対しては当接面が適切に働き、あるパネル体に対しては溝部が適切に働くこととなる。つまり、本実施の形態に係る縦框には、単一の機能部分ではなく、少なくとも二つ以上の機能部分が設けられているため、多様なパネル体に対応することが可能となる。したがって、多様なパネル体に対して適切に係合する縦框を備える戸体を実現することが可能となる。
【００１０】
かかる戸体であって、前記縦框の収受溝には、前記収容部、前記当接面、及び、前記溝部を有することが望ましい。
【００１１】
このような戸体によれば、多様なパネル体に対してより一層適切に係合する縦框を備える戸体を実現することが可能となる。
【００１２】
かかる戸体であって、前記収容部は、前記縦框の見込み方向における中央部に設けられ、
前記当接面は、前記収容部の見込み方向におけるそれぞれ両側に設けられ、
前記溝部は、前記当接面の見込み方向におけるそれぞれ両側に設けられていることが望ましい。
【００１３】
このような戸体によれば、収容部が、縦框の見込み方向における中央部に設けられているため、端部に設けられている場合よりも、収容部のガイド機能が適切に働くこととなる。また、溝部が、見込み方向において収容部よりも端部側に設けられているため、溝部の見込み方向における位置をパネル体の面材等の位置に適切に対応させることが可能となる。また、見込み方向において収容部と溝部との間に当接面が位置するため、パネル体と縦框の係合状態を安定させることが可能となる。
【００１４】
かかる戸体であって、前記溝部を構成し、前記縦框の側壁であり内向き方向に向かって延出し、前記パネル体の表面及び裏面に接触可能な延出部を有することが望ましい。
【００１５】
このような戸体によれば、パネル体の端部を延出部で覆うことができ、延出部のガイド機能を発現させることが可能となる。
【００１６】
かかる戸体であって、前記取り付け部材は、ネジ部材であることが望ましい。
【００１７】
このような戸体によれば、パネル体の組み立て作業が簡便となる。したがって、戸体の組み立て作業性も向上する。
【００１８】
かかる戸体であって、前記ネジ部材は、段付きネジであることが望ましい。
【００１９】
このような戸体によれば、パネル体の組み立て作業がより一層簡便となる。したがって、戸体の組み立て作業性もより一層向上する。
【発明の効果】
【００２０】
本発明によれば、多様なパネル体に対して適切に係合する縦框を備える戸体を実現することができる。
【図面の簡単な説明】
【００２１】
【図１】パネル体積み重ね扉２０の正面図である。
【図２】パネル体積み重ね扉２０を組み立てる際に、パネル体４０を積み重ねていく様子を示した図である。
【図３】パネル体積み重ね扉２０の縦断面図である。
【図４】縦框２１と、採光ユニット５０、換気ユニット５２、及び、把手ユニット４８と、の係合構成を示した図である。
【図５】採光ユニット５０、換気ユニット５２、及び、把手ユニット４８を示した図である。
【図６】縦框２１と意匠パネル４１の係合構成を示した図である。
【図７】意匠パネル４１を示した図である。
【発明を実施するための形態】
【００２２】
＝＝＝本実施の形態に係るパネル体積み重ね扉２０について＝＝＝
以下、本発明の一実施形態に係るパネル体積み重ね扉２０について図１乃至図３を参照して説明する。
【００２３】
以下の説明においては、パネル体積み重ね扉２０が建物等に取り付けられた状態において、上下となる方向を上下方向、左右となる方向を横方向（左右方向）、室内外方向である奥行き方向を見込み方向として示す。また、横方向（左右方向）のうち、縦框２１からパネル体４０へ向かう方向を内向き方向、パネル体４０から縦框２１へ向かう方向を外向き方向として示す。
【００２４】
パネル体積み重ね扉２０は、左右に適宜間隔を隔てて配置された一対の縦框２１と、複数のパネル体４０と、を備えている。パネル体４０は、縦框２１に配設されたパネル体４０の側部（側端）を収受する収受溝Ｓを対向させて配置した一対の縦框２１の間に位置し、パネル体４０の側部（側端）を収受溝Ｓに収受して上下方向に積み重ねられている。
【００２５】
本実施の形態においては、パネル体４０として、複数種類の互いに機能が異なる機能パネル体、すなわち、意匠パネル４１（最下部用意匠パネル４２、中間部用意匠パネル４４、及び、最上部用意匠パネル４６）、把手ユニット４８、採光ユニット５０、換気ユニット５２が、設けられている。
【００２６】
より具体的には、まず一対の縦框２１間の最下部に最下部用意匠パネル４２を配置してビス６２で固定する。次に順次下から、最下部用意匠パネル４２の上方に、複数の中間部用意匠パネル４４、把手ユニット４８、採光ユニット５０、換気ユニット５２、複数の中間部用意匠パネル４４、最上部用意匠パネル４６が積み重ねられている。つまり、図２に示すように、これらのパネル体４０を左右に設けられた一対の縦框２１の間に上記順番で積み重ねていく（挿入していく）ことで、本実施の形態に係るパネル体積み重ね扉２０が形成されるようになっている。
【００２７】
縦框２１に配設されたパネル体４０の側端を収受する収受溝Ｓには、縦框２１の見込み方向における中央部、即ち収受溝の中央部において外向き方向に凹んだ収容部２８が設けられている。
【００２８】
この収容部２８は、パネル体４０に取り付けられた取り付け部材の頭部を収容可能となっており、さらに、当該頭部の抜け止め部２８ａを収容部２８の内向き方向前端に備えている。
【００２９】
収容部２８の見込み方向におけるそれぞれ両側においてパネル体４０の側端が当接可能な当接面２２が設けられている。
【００３０】
当接面２２の見込み方向におけるそれぞれ両側において前記当接面２２から外向き方向に凹んだ溝部２４が設けられている。
【００３１】
この溝部２４を構成し、縦框２１の側壁であり内向き方向に向かって延出し、かつ、延出先２６ａが当接面２２よりも内向き方向におけるパネル体４０側に位置する延出部２６が設けられている。この延出部２６は、見込み方向においてパネル体４０よりも外側にて該パネル体４０の表面及び裏面に接触可能となっている。
【００３２】
縦框２１の収受溝Ｓに設けられた収容部２８、当接面２２、溝部２４については上記の位置に設けなくても必要に応じ配設位置を決めれば良く、収容部２８、当接面２２、溝部２４の機能については少なくとも二つを有すれば充分当初の目的は達成できる。
【００３３】
なお、パネル体積み重ね扉２０に設けるパネル体４０の種類や組み合わせや並び順については、本実施の形態の構成に限定されるものではない。当該種類や組み合わせや並び順は、ユーザーの要望に合わせて自由に選択可能となっており、これにより、パネル体積み重ね扉２０の使い勝手を幅広くすることが可能となる。つまり、本実施の形態に係る構成は一例である。以下では、便宜上、この例に基づいて説明を続ける。
【００３４】
意匠パネル４１は、デザインが重視されたパネル体４０である。意匠パネル４１としては、パネル体積み重ね扉２０の最下部に置かれる最下部用意匠パネル４２と、パネル体積み重ね扉２０の最上部に置かれる最上部用意匠パネル４６と、それ以外の場所（つまり、中間部）に置かれる中間部用意匠パネル４４とがあり、それぞれの意匠パネル４１の構成は互いに異なっている（これについては、後述する）。
【００３５】
把手ユニット４８は、パネル体積み重ね扉２０の開閉を行う際に、ユーザーにより把持されるパネル体４０である。
【００３６】
採光ユニット５０は、部屋内からの自然光や照明光を取り入れるためのパネル体４０である。したがって、当該採光ユニット５０には、光を取り入れやすい透明等の透光性の面材５６が備えられている。
【００３７】
換気ユニット５２は、扉２０の表裏に位置する空間間の空気を移動させるためのパネル体４０である。したがって、この換気ユニット５２には、操作部や、操作部が操作されることにより開閉される羽根部等が設けられている。
【００３８】
なお、図３に示すように、最上部用意匠パネル４６を除いたいずれのパネル体４０においても、上部には凸部４０ａが設けられている。そして、下部には、当該凸部４０ａと嵌合するための嵌合部４０ｂが備えられており、凸部４０ａと嵌合部４０ｂとの嵌合により、パネル体４０が適切に積み重ねられるようになっている。
【００３９】
＝＝＝縦框２１とパネル体４０の係合構成について＝＝＝
上述したとおり、パネル体積み重ね扉２０においては、パネル体４０が、横方向において一対の縦框２１の間に位置し、上下方向に積み重ねられている。したがって、パネル体４０の横方向における側端（左側端及び右側端）は、縦框２１と係合することとなる。
【００４０】
また、パネル体４０として、複数種類の互いに機能が異なる機能パネル体が用意されているため、縦框２１は、どのパネル体４０がパネル体積み重ね扉２０に設けられた場合であっても、当該パネル体４０の側端と適切に係合する必要がある。
【００４１】
以下では、縦框２１とパネル体４０とがどのように係合するか（つまり、縦框２１とパネル体４０の係合構成）について、パネル体４０毎に、図４乃至図７を参照しつつ説明する。
【００４２】
なお、図４の（ａ）は縦框２１と採光ユニット５０の係合構成、（ｂ）は縦框２１と換気ユニット５２の係合構成、（ｃ）は縦框２１と把手ユニット４８の係合構成を示した図となっている。また、図５の（ａ）は採光ユニット５０、（ｂ）は換気ユニット５２、（ｃ）は縦框２１と把手ユニット４８を示した図となっている。また、図６の（ｄ）は縦框２１と最上部用意匠パネル４６の係合構成、（ｅ）は縦框２１と中間部用意匠パネル４４の係合構成、（ｆ）は縦框２１と最下部用意匠パネル４２の係合構成を示した図となっている。また、図７の（ｄ）は縦框２１と最上部用意匠パネル４６、（ｅ）は中間部用意匠パネル４４、（ｆ）は縦框２１と最下部用意匠パネル４２を示した図となっている。
【００４３】
＜＜＜縦框２１と採光ユニット５０の係合構成について＞＞＞
先ず、縦框２１と採光ユニット５０の係合構成について、図４及び図５の（ａ）を参照しつつ説明する。
【００４４】
採光ユニット５０は、前述した面材５６と、面材５６を連結するための連結部材５８と、取り付け部材の一例としてのネジ部材（本実施の形態においては、段付きネジ６０）と、連結部材５８を繋ぐ繋ぎ部材５７と、を備えている。
【００４５】
面材５６は、前述したとおり採光に適する矩形状の部材であり、本実施の形態においては、二つの面材５６が見込み方向において対向している。
【００４６】
連結部材５８は、見込み方向において、二つの面材５６の間に設けられている。すなわち、連結部材５８は、二つの面材５６に挟まれた状態で、双方の面材５６を連結している。この連結部材５８は、長尺な部材であり、その長手方向は、横方向に沿っている。本実施の形態においては、二つの連結部材５８が備えられており、各々は面材５６の上端部と下端部にそれぞれ位置している。
【００４７】
連結部材５８の小口には、ビスホール５９が設けられており、このビスホール５９には段付きネジ６０（換言すれば、段付きビス）が設けられている。段付きネジ６０は、頭部６０ａと段部６０ｂと雄ねじ部６０ｃとを備えている。そして、段付きネジ６０は、段部６０ｂが連結部材５８の（左右）両端にある繋ぎ部材５７に接触するまで締められている（すなわち、頭部６０ａと段部６０ｂは、連結部材５８（ビスホール５９）よりも外向き方向において縦框２１側に位置している）。本実施の形態においては、面材５６の上端部に位置する連結部材５８の長手方向における両端と、面材５６の下端部に位置する連結部材５８の長手方向における両端に、計４個の段付きネジ６０が取り付けられている。
【００４８】
繋ぎ部材５７は、採光ユニット５０を最小限自立させるために、二つの連結部材５８の間に設けられており、当該二つの連結部材５８を繋いでいる。また、この繋ぎ部材５７は、厚みが薄い面材５６を見込み方向における裏側から押さえている。当該繋ぎ部材５７は、長尺な部材であり、その長手方向は、上下方向に沿っている。本実施の形態においては、二つの繋ぎ部材５７が備えられており、各々は採光ユニット５０の左端部と右端部にそれぞれ位置している。
【００４９】
一方で、縦框２１には、パネル体の側端が当接可能な当接面２２が設けられている。本実施の形態においては、当該当接面２２に繋ぎ部材５７の横方向における側端５７ａが当接している。すなわち、「パネル体の側端」は、繋ぎ部材５７の連結部材５８の側端５７ａとなっている。
【００５０】
また、縦框２１には、当該縦框２１の見込み方向における両端部において前記当接面２２から外向き方向に凹んだ溝部２４が設けられている。この溝部２４は、パネル体の側端から外向き方向に向かって突出した突出部を受け入れ可能となっている。本実施の形態においては、溝部２４が、採光ユニット５０から外向き方向に突出した（二つの）面材５６の側端部５６ａを受容している。また、溝部２４が、採光ユニット５０から外向き方向に突出した繋ぎ部材５７の突出部分５７ｂを受容している。すなわち、「パネル体の側端から外向き方向に向かって突出した突出部」は、採光ユニット５０の面材５６の側端部５６ａと繋ぎ部材５７の突出部分５７ｂとなっている。
【００５１】
そのため、以下の優位性が生じ得る。すなわち、面材５６の側端部５６ａ及び繋ぎ部材５７の突出部分５７ｂが溝部２４に挿入される（嵌め込まれる）ことにより、面材５６の側端部５６ａの見込み方向における位置規制が成されることとなる。したがって、面材５６（側端部５６ａ）が図４の矢印の方向へ移動して二つの側端部５６ａの間隔が開いてしまうような事象の発生が適切に抑えられることとなる。なお、繋ぎ部材５７の突出部分５７ｂは、薄い面材５６を見込み方向における裏側から押さえて厚みを増加させることにより、側端部５６ａの位置規制がより適切に働くようにする役割を果たす。また、採光ユニット５０（採光ユニット全体）の見込み方向におけるガタつきを抑止することも可能となる。
【００５２】
また、縦框２１には、内向き方向に向かって延出し、かつ、延出先２６ａが当接面２２よりも内向き方向におけるパネル体４０側に位置する延出部２６が設けられている。この延出部２６は、見込み方向においてパネル体よりも外側にて該パネル体の表面及び裏面に接触可能となっている。本実施の形態においては、延出部２６が、見込み方向において採光ユニット５０よりも外側にて該採光ユニット５０の二つの面材５６の各々に接触している。すなわち、「パネル体の表面及び裏面」は、採光ユニット５０の二つの面材５６の各々となっている。
【００５３】
そのため、以下の優位性が生じ得る。すなわち、延出部２６が二つの面材５６の各々に接触することにより、前述した溝部２４による効果と同様の効果が生じる。つまり、当該接触により、面材５６の見込み方向における位置規制が成されることとなる。したがって、二つの側端部５６ａの間隔が開いてしまうような事象の発生が適切に抑えられることとなる。また、採光ユニット５０（採光ユニット全体）の見込み方向におけるガタつきを抑止することも可能となる。
【００５４】
また、縦框２１には、当該縦框２１の見込み方向における中央部において、前記当接面２２から外向き方向に凹んだ収容部２８が設けられている。この収容部２８は、パネル体に取り付けられた取り付け部材の頭部を収容可能となっており、さらに、当該頭部の抜け止め部２８ａを備えている。本実施の形態においては、収容部２８が、採光ユニット５０に取り付けられたネジ部材（段付きネジ６０）の頭部６０ａを収容し、抜け止め部２８ａが当該頭部６０ａの抜け止めを行っている。すなわち、「パネル体に取り付けられた取り付け部材の頭部」は、採光ユニット５０に取り付けられたネジ部材（段付きネジ６０）の頭部６０ａとなっている。
【００５５】
すなわち、図４に示すように、収容部２８の見込み方向における幅は、頭部６０ａが収容部２８に適切に収容されるように、頭部６０ａの見込み方向における幅よりも僅かに広くなっている。また、抜け止め部２８ａは、収容部２８の側壁から見込み方向における内側へ突出した突出リブ（換言すれば、カエリ）であり、当該突出リブが段付きネジ６０の頭部６０ａと段部６０ｂとの間に位置する（入り込む）ようになっている。
【００５６】
そのため、以下の優位性が生じ得る。すなわち、採光ユニット５０を一対の縦框２１の間に挿入する際に、収容部２８に頭部６０ａが収まるように挿入することで、収容部２８が採光ユニット５０に対するガイド部としての機能を発揮する。また、挿入後においては、収容部２８により採光ユニット５０が位置決めされるため、採光ユニット５０の縦框２１へのネジ固定を省略することが可能となり、組み立て作業性の向上が期待できる。さらには、収容部２８に頭部６０ａがフィットし、抜け止め機能も働くことで、採光ユニット５０と縦框２１の横方向の変形を抑えることも可能となる。
【００５７】
＜＜＜縦框２１と換気ユニット５２の係合構成について＞＞＞
次に、縦框２１と換気ユニット５２の係合構成について、図４及び図５の（ｂ）を参照しつつ説明する。
【００５８】
換気ユニット５２は、前述した操作部や羽根部等を備えた機能部５２ａと、縦部材５２ｂと、を備えている。縦部材５２ｂは、長尺な部材であり、その長手方向は、縦方向（上下方向）に沿っている。本実施の形態においては、二つの縦部材５２ｂが備えられており、各々は、機能部５２ａの横方向における外側（左側及び右側）にそれぞれ位置した状態で、機能部５２ａを支持している。
【００５９】
前述したとおり、縦框２１には、パネル体の側端が当接可能な当接面２２が設けられている。本実施の形態においては、当該当接面２２に縦部材５２ｂの横方向における側端５２ｃが当接している。すなわち、「パネル体の側端」は、換気ユニット５２の縦部材５２ｂの側端５２ｃとなっている。
【００６０】
また、縦框２１には、当該縦框２１の見込み方向における両端部において前記当接面２２から外向き方向に凹んだ溝部２４が設けられている。この溝部２４は、パネル体の側端から外向き方向に向かって突出した突出部を受け入れ可能となっている。本実施の形態においては、溝部２４が、換気ユニット５２から外向き方向に突出した縦部材５２ｂの突出部分５２ｄを受容している。すなわち、「パネル体の側端から外向き方向に向かって突出した突出部」は、換気ユニット５２の縦部材５２ｂの突出部分５２ｄとなっている。
【００６１】
そのため、以下の優位性が生じ得る。すなわち、縦部材５２ｂの突出部分５２ｄが溝部２４に挿入される（嵌め込まれる）ことにより、縦部材５２ｂの突出部分５２ｄの見込み方向における位置規制が成されることとなる。したがって、換気ユニット５２（換気ユニット全体）の見込み方向におけるガタつきを抑止することが可能となる。
【００６２】
また、縦框２１には、内向き方向に向かって延出し、かつ、延出先２６ａが当接面２２よりも内向き方向におけるパネル体４０側に位置する延出部２６が設けられている。この延出部２６は、見込み方向においてパネル体よりも外側にて該パネル体の表面及び裏面に接触可能となっている。本実施の形態においては、延出部２６が、見込み方向において換気ユニット５２よりも外側にて該換気ユニット５２の二つの突出部分５２ｄ（具体的には、突出部分５２ｄの根元部）の各々に接触している。すなわち、「パネル体の表面及び裏面」は、採光ユニット５０の二つの突出部分５２ｄの各々となっている。
【００６３】
そのため、以下の優位性が生じ得る。すなわち、延出部２６が二つの突出部分５２ｄの各々に接触することにより、前述した溝部２４による効果と同様の効果が生じる。つまり、当該接触により、突出部分５２ｄの見込み方向における位置規制が成されることとなる。したがって、換気ユニット５２（換気ユニット全体）の見込み方向におけるガタつきを抑止することが可能となる。
【００６４】
なお、換気ユニット５２は、採光ユニット５０とは異なり縦部材５２ｂを備えているため、換気ユニット５２の硬性は、採光ユニット５０の硬性よりも高くなっている（つまり、換気ユニット５２は、採光ユニット５０よりもしっかしとした作りとなっている）。そのため、換気ユニット５２には、採光ユニット５０と比べて、変形が生じにくいので、段付きネジ６０は設けられていない。したがって、換気ユニット５２に対しては、収容部２８の機能が機能していない。
【００６５】
＜＜＜縦框２１と最上部用意匠パネル４６の係合構成について＞＞＞
次に、縦框２１と最上部用意匠パネル４６の係合構成について、図６及び図７の（ｄ）を参照しつつ説明する。
【００６６】
最上部用意匠パネル４６は、採光ユニット５０と同様、面材５６と、面材５６を連結するための連結部材５８と、を備えている。その一方で、段付きネジ６０は備えられていない。
【００６７】
面材５６は、採光ユニット５０と同様、矩形状の部材であり、本実施の形態においては、二つの面材５６が見込み方向において対向している。
【００６８】
連結部材５８は、見込み方向において、二つの面材５６の間に設けられている。すなわち、連結部材５８は、二つの面材５６に挟まれた状態で、双方の面材５６を連結している。この連結部材５８は、長尺な部材であり、その長手方向は、横方向に沿っている。本実施の形態においては、二つの連結部材５８が備えられており、各々は面材５６の上端部と下端部にそれぞれ位置している。
【００６９】
前述したとおり、縦框２１には、パネル体の側端が当接可能な当接面２２が設けられている。本実施の形態においては、当該当接面２２に連結部材５８の横方向における側端５８ａが当接している。すなわち、「パネル体の側端」は、最上部用意匠パネル４６の連結部材５８の側端５８ａとなっている。
【００７０】
また、縦框２１には、当該縦框２１の見込み方向における両端部において前記当接面２２から外向き方向に凹んだ溝部２４が設けられている。この溝部２４は、パネル体の側端から外向き方向に向かって突出した突出部を受け入れ可能となっている。本実施の形態においては、溝部２４が、最上部用意匠パネル４６から外向き方向に突出した（二つの）面材５６の側端部５６ａを受容している。すなわち、「パネル体の側端から外向き方向に向かって突出した突出部」は、最上部用意匠パネル４６の面材５６の側端部５６ａとなっている。
【００７１】
そのため、以下の優位性が生じ得る。すなわち、面材５６の側端部５６ａが溝部２４に挿入される（嵌め込まれる）ことにより、面材５６の側端部５６ａの見込み方向における位置規制が成されることとなる。したがって、面材５６（側端部５６ａ）が図６の矢印の方向へ移動して二つの側端部５６ａの間隔が開いてしまうような事象の発生が適切に抑えられることとなる。また、最上部用意匠パネル４６（最上部用意匠パネル全体）の見込み方向におけるガタつきを抑止することも可能となる。
【００７２】
また、縦框２１には、内向き方向に向かって延出し、かつ、延出先２６ａが当接面２２よりも内向き方向におけるパネル体４０側に位置する延出部２６が設けられている。この延出部２６は、見込み方向においてパネル体よりも外側にて該パネル体の表面及び裏面に接触可能となっている。本実施の形態においては、延出部２６が、見込み方向において最上部用意匠パネル４６よりも外側にて該最上部用意匠パネル４６の二つの面材５６の各々に接触している。すなわち、「パネル体の表面及び裏面」は、最上部用意匠パネル４６の二つの面材５６の各々となっている。
【００７３】
そのため、以下の優位性が生じ得る。すなわち、延出部２６が二つの面材５６の各々に接触することにより、前述した溝部２４による効果と同様の効果が生じる。つまり、当該接触により、面材５６の見込み方向における位置規制が成されることとなる。したがって、二つの側端部５６ａの間隔が開いてしまうような事象の発生が適切に抑えられることとなる。また、最上部用意匠パネル４６（最上部用意匠パネル全体）の見込み方向におけるガタつきを抑止することも可能となる。
【００７４】
なお、本実施の形態においては、最上部用意匠パネル４６、最下部用意匠パネル４２、及び、把手ユニット４８については、縦框２１へのネジ固定を行うこととしている。そのため、最上部用意匠パネル４６には、段付きネジ６０は設けられていない。したがって、最上部用意匠パネル４６に対しては、収容部２８の機能が機能していない。
【００７５】
＜＜＜縦框２１と中間部用意匠パネル４４の係合構成について＞＞＞
次に、縦框２１と中間部用意匠パネル４４の係合構成について、図６及び図７の（ｅ）を参照しつつ説明する。
【００７６】
中間部用意匠パネル４４は、押出成形された形材を切断したものである。そのため、最上部用意匠パネル４６に設けられていたような面材５６は設けられていない。
【００７７】
すなわち、意匠パネル４１を形材とした場合には、上下方向における意匠パネル４１の長さ（高さ）が固定となるため（可変でなくなるため）、最終的な高さ調整機能（又は、高さ誤差吸収機能）を持たせる必要がある最上部用意匠パネル４６は形材とせず、最上部用意匠パネル４６には（高さを自由に選べる）面材５６を設けている。一方で、中間部用意匠パネル４４については、高さ調整機能を持たせる必要がないため、生産性に優れる形材としている。
【００７８】
中間部用意匠パネル４４（形材）の小口には、ビスホール５９が設けられており、このビスホール５９には段付きネジ６０が設けられている。段付きネジ６０は、頭部６０ａと段部６０ｂと雄ねじ部６０ｃとを備えている。そして、段付きネジ６０は、段部６０ｂが形材（ビスホール５９）に接触するまで締められている（すなわち、頭部６０ａと段部６０ｂは、形材（ビスホール５９）よりも外向き方向において縦框２１側に位置している）。本実施の形態においては、中間部用意匠パネル４４（形材）の長手方向における両端に、計２個の段付きネジ６０が取り付けられている。
【００７９】
前述したとおり、縦框２１には、パネル体の側端が当接可能な当接面２２が設けられている。本実施の形態においては、当該当接面２２に中間部用意匠パネル４４（形材）の横方向における側端４４ａが当接している。すなわち、「パネル体の側端」は、中間部用意匠パネル４４の側端４４ａとなっている。
【００８０】
また、縦框２１には、内向き方向に向かって延出し、かつ、延出先２６ａが当接面２２よりも内向き方向におけるパネル体４０側に位置する延出部２６が設けられている。この延出部２６は、見込み方向においてパネル体よりも外側にて該パネル体の表面及び裏面に接触可能となっている。本実施の形態においては、延出部２６が、見込み方向において中間部用意匠パネル４４（形材）よりも外側にて該中間部用意匠パネル４４（形材）の二つの面４４ｂの各々に接触している。すなわち、「パネル体の表面及び裏面」は、中間部用意匠パネル４４（形材）の二つの面４４ｂの各々となっている。
【００８１】
そのため、以下の優位性が生じ得る。すなわち、延出部２６が二つの面４４ｂの各々に接触することにより、二つの面４４ｂの見込み方向における位置規制が成されることとなる。したがって、中間部用意匠パネル４４（中間部用意匠パネル全体）の見込み方向におけるガタつきを抑止することが可能となる。
【００８２】
また、縦框２１には、当該縦框２１の見込み方向における中央部において、前記当接面２２から外向き方向に凹んだ収容部２８が設けられている。この収容部２８は、パネル体に取り付けられた取り付け部材の頭部を収容可能となっており、さらに、当該頭部の抜け止め部２８ａを備えている。本実施の形態においては、収容部２８が、中間部用意匠パネル４４に取り付けられたネジ部材（段付きネジ６０）の頭部６０ａを収容し、抜け止め部２８ａが当該頭部６０ａの抜け止めを行っている。すなわち、「パネル体に取り付けられた取り付け部材の頭部」は、中間部用意匠パネル４４に取り付けられたネジ部材（段付きネジ６０）の頭部６０ａとなっている。
【００８３】
すなわち、図６に示すように、収容部２８の見込み方向における幅は、頭部６０ａが収容部２８に適切に収容されるように、頭部６０ａの見込み方向における幅よりも僅かに広くなっている。また、抜け止め部２８ａは、収容部２８の側壁から見込み方向における内側へ突出した突出リブ（換言すれば、カエリ）であり、当該突出リブが段付きネジ６０の頭部６０ａと段部６０ｂとの間に位置する（入り込む）ようになっている。
【００８４】
そのため、以下の優位性が生じ得る。すなわち、中間部用意匠パネル４４を一対の縦框２１の間に挿入する際に、収容部２８に頭部６０ａが収まるように挿入することで、収容部２８が中間部用意匠パネル４４に対するガイド部としての機能を発揮する。また、挿入後においては、収容部２８により中間部用意匠パネル４４が位置決めされるため、中間部用意匠パネル４４の縦框２１へのネジ固定を省略することが可能となり、組み立て作業性の向上が期待できる。さらには、収容部２８に頭部６０ａがフィットし、抜け止め機能も働くことで、中間部用意匠パネル４４と縦框２１の横方向の変形を抑えることも可能となる。
【００８５】
なお、本実施の形態においては、中間部用意匠パネル４４に面材５６等が設けられていないため、中間部用意匠パネル４４に対しては、溝部２４の機能が機能していない。
【００８６】
＜＜＜縦框２１と最下部用意匠パネル４２の係合構成について＞＞＞
次に、縦框２１と最下部用意匠パネル４２の係合構成について、図６及び図７の（ｆ）を参照しつつ説明する。
【００８７】
最下部用意匠パネル４２も、中間部用意匠パネル４４と同様、押出成形された形材を切断したものである。そのため、最上部用意匠パネル４６に設けられていたような面材５６は設けられていない。これは、最下部用意匠パネル４２についても、高さ調整機能を持たせる必要がないからである。
【００８８】
前述したとおり、縦框２１には、パネル体の側端が当接可能な当接面２２が設けられている。本実施の形態においては、当該当接面２２に最下部用意匠パネル４２（形材）の横方向における側端４２ａが当接している。すなわち、「パネル体の側端」は、最下部用意匠パネル４２の側端４２ａとなっている。
【００８９】
また、縦框２１には、内向き方向に向かって延出し、かつ、延出先２６ａが当接面２２よりも内向き方向におけるパネル体４０側に位置する延出部２６が設けられている。この延出部２６は、見込み方向においてパネル体よりも外側にて該パネル体の表面及び裏面に接触可能となっている。本実施の形態においては、延出部２６が、見込み方向において最下部用意匠パネル４２（形材）よりも外側にて該最下部用意匠パネル４２（形材）の二つの面４２ｂの各々に接触している。すなわち、「パネル体の表面及び裏面」は、最下部用意匠パネル４２（形材）の二つの面４２ｂの各々となっている。
【００９０】
そのため、以下の優位性が生じ得る。すなわち、延出部２６が二つの面４２ｂの各々に接触することにより、二つの面４２ｂの見込み方向における位置規制が成されることとなる。したがって、最下部用意匠パネル４２（最下部用意匠パネル全体）の見込み方向におけるガタつきを抑止することが可能となる。
【００９１】
なお、本実施の形態においては、最下部用意匠パネル４２に面材５６等が設けられていないため、最下部用意匠パネル４２に対しては、溝部２４の機能が機能していない。また、最下部用意匠パネル４２に段付きネジ６０が設けられていないため、最下部用意匠パネル４２に対しては、収容部２８の機能が機能していない。
【００９２】
＜＜＜縦框２１と把手ユニット４８の係合構成について＞＞＞
次に、縦框２１と把手ユニット４８の係合構成について、図４及び図５の（ｃ）を参照しつつ説明する。
【００９３】
把手ユニット４８にも、最下部用意匠パネル４２と同様、面材５６は設けられていない。また、把手ユニット４８は、ユーザーの操作力が直接的に加わるユニットであり、しっかりとした固定が要求されるため、縦框２１へのネジ固定を行うこととしている。そのため、把手ユニット４８には、段付きネジ６０は設けられていない。
【００９４】
前述したとおり、縦框２１には、パネル体の側端が当接可能な当接面２２が設けられている。本実施の形態においては、当該当接面２２に把手ユニット４８の横方向における側端４８ａが当接している。すなわち、「パネル体の側端」は、把手ユニット４８の側端４８ａとなっている。
【００９５】
また、縦框２１には、内向き方向に向かって延出し、かつ、延出先２６ａが当接面２２よりも内向き方向におけるパネル体４０側に位置する延出部２６が設けられている。この延出部２６は、見込み方向においてパネル体よりも外側にて該パネル体の表面及び裏面に接触可能となっている。本実施の形態においては、延出部２６が、見込み方向において把手ユニット４８よりも外側にて該把手ユニット４８の二つの面４８ｂの各々に接触している。すなわち、「パネル体の表面及び裏面」は、把手ユニット４８の二つの面４８ｂの各々となっている。
【００９６】
そのため、以下の優位性が生じ得る。すなわち、延出部２６が二つの面４８ｂの各々に接触することにより、二つの面４８ｂの見込み方向における位置規制が成されることとなる。したがって、把手ユニット４８（把手ユニット全体）の見込み方向におけるガタつきを抑止することが可能となる。
【００９７】
なお、本実施の形態においては、把手ユニット４８に面材５６等が設けられていないため、把手ユニット４８に対しては、溝部２４の機能が機能していない。また、把手ユニット４８に段付きネジ６０が設けられていないため、把手ユニット４８に対しては、収容部２８の機能が機能していない。
【００９８】
＝＝＝本実施の形態に係るパネル体積み重ね扉２０の有効性について＝＝＝
上述した通り、パネル体積み重ね扉２０に備えられるパネル体４０としては、様々な種類のものがあり、当該種類が多様になるほど、パネル体積み重ね扉２０の使い勝手が幅広くなる。これらのパネル体４０の構成は、互いに異なっており、かかるパネル体４０として、意匠パネル４１、把手ユニット４８、採光ユニット５０、換気ユニット５２を挙げることができる。また、意匠パネル４１においては、最上部に使用する最上部用意匠パネル４６と最下部に使用する最下部用意匠パネル４２と中間部に使用する中間部用意匠パネル４４とで、互いに構成が異なっている。
【００９９】
一方で、パネル体積み重ね扉２０においては、パネル体４０が、一対の縦框２１の間に位置し、上下方向に積み重ねられる。そのため、パネル体４０の横方向における側端（左側端及び右側端）は、縦框２１と係合することとなる。
【０１００】
したがって、縦框２１のパネル体４０に対する係合部分は、多様なパネル体４０に対応することが、要請される。
【０１０１】
これに対し、本実施の形態に係るパネル体積み重ね扉２０において、縦框２１の収受溝Ｓには、外向き方向に凹み、パネル体４０に取り付けられた取り付け部材の頭部を収容可能であり、且つ当該頭部の抜け止め部２８ａを備えた収容部２８と、パネル体４０の側端が当接可能な当接面２２と、外向き方向に凹み、前記パネル体４０の側端から外向き方向に向かって突出した突出部を受け入れ可能な溝部２４と、のうちの少なくとも二つ（本実施の形態においては、三つ）を有している。
【０１０２】
そのため、本実施の形態に係るパネル体積み重ね扉２０においては、上述したとおり、あるパネル体４０に対しては収容部２８が適切に働き、あるパネル体４０に対しては当接面２２が適切に働き、あるパネル体４０に対しては溝部２４が適切に働くこととなる。つまり、本実施の形態に係る縦框２１には、単一の機能部分ではなく、少なくとも二つ以上の機能部分が設けられているため、多様なパネル体４０に対応することが可能となる。したがって、多様なパネル体４０に対して適切に係合する縦框２１を備えるパネル体積み重ね扉２０を実現することが可能となる。
【０１０３】
また、本実施の形態においては、収容部２８は、縦框２１の見込み方向における中央部に設けられ、当接面２２は、収容部２８の見込み方向におけるそれぞれ両側に設けられ、溝部２４は、当接面２２の見込み方向におけるそれぞれ両側に設けられていることとした。
【０１０４】
そのため、以下の優位性が生じ得る。すなわち、収容部２８が、縦框２１の見込み方向における中央部に設けられているため、端部に設けられている場合よりも、前述したガイド機能が適切に働くこととなる。また、溝部２４が、見込み方向において収容部２８よりも端部側に設けられているため、溝部２４の見込み方向における位置を面材５６等の位置に適切に対応させることが可能となる。また、見込み方向において収容部２８と溝部２４との間に当接面２２が位置するため、パネル体４０と縦框２１の係合状態を安定させることが可能となる。
【０１０５】
また、本実施の形態においては、溝部２４を構成し、縦框２１の側壁であり内向き方向に向かって延出し、パネル体４０の表面及び裏面に接触可能な延出部２６を有することとした。そのため、パネル体４０の端部を延出部２６で覆うことができ、延出部２６のガイド機能を発現させることが可能となる。
【０１０６】
また、本実施の形態においては、前記取り付け部材は、ネジ部材であることとした。そのため、パネル体４０を製造する際に、形材や連結部材等にネジ部材を付ければよいだけなので、パネル体４０の組み立て作業が簡便となる。したがって、パネル体積み重ね扉２０の組み立て作業性も向上する。
【０１０７】
さらに、本実施の形態においては、ネジ部材は、段付きネジ６０であることとした。そのため、段付きネジ６０を形材や連結部材等に付ける際に、段付きネジ６０を最後まで締めればよいため（仮に、ネジ部材が段付きネジ６０でない場合には、ネジ部材をどこまで締めるかを作業者が調整する必要がある）、パネル体４０の組み立て作業がより一層簡便となる。したがって、パネル体積み重ね扉２０の組み立て作業性もより一層向上する。
【０１０８】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１０９】
上記実施の形態においては、戸体として扉（パネル体積み重ね扉２０）を例に挙げたが、これに限定されるものではない。例えば、障子であってもよい。
【０１１０】
なお、上記実施の形態に係る縦框２１は、収容部２８、当接面２２、及び、溝部２４を有することとした。すなわち、上記実施の形態に係る縦框２１には、三つの機能部分が設けられていることとした。しかしながら、これに限定されず、二つの機能部分のみが設けられていることとしてもよい。ただし、多様なパネル体４０に対してより一層適切に係合する縦框２１を備えるパネル体積み重ね扉２０を実現することが可能となる点で、上記実施の形態の方が望ましい。
【符号の説明】
【０１１１】
２０  扉、
２１  縦框、２２  当接面、２４  溝部
２６  延出部、２６ａ  延出先
２８  収容部、２８ａ  抜け止め部
４０  パネル体
６０  段付きネジ、６０ａ  頭部
Ｓ  収受溝
【図１】
2016048010.tif 000003
【図２】
2016048010.tif 000004
【図３】
2016048010.tif 000005
【図４】
2016048010.tif 000006
【図５】
2016048010.tif 000007
【図６】
2016048010.tif 000008
【図７】
2016048010.tif 000009